(57)【要約】  パーソナルエリアネットワーク１３は、患者の生理学的データをモニタし及び／又は患者に治療を提供する複数のワイヤレス医療装置１２を含む。医療装置１２の各々は、装置１２が現在存在している地理的領域に関連する動作プロファイルに従って動作するようにトランシーバ４０を制御するロケーション管理モジュール４６を有する。動作プロファイルは、ローカル規制要求によって命じられるように、送信周波数、デューティサイクル及び最大送信電力の少なくとも１つを含む。ワイヤレスハブ１０は、パーソナルエリアネットワーク１３の一部として、ワイヤレス医療装置１２と通信し、それらとインフラストラクチャネットワーク３０をインタフェースする。ハブ１０は、現在の地理的位置を受け取り、対応する地理的領域を決定し、領域に関連する（複数の）動作プロファイルを取り出すロケーション管理モジュール４６'を含む。ハブは、ワイヤレス医療装置１２に動作プロファイルをアドバタイズする。
2013544585.tif 000002
【特許請求の範囲】
【請求項１】
患者の生理学的データをモニタするセンサ及び患者に治療を提供するアクチュエータの少なくとも一方と、
モニタされた生理学的データ及び提供された治療の少なくとも一方に関連する情報パケットを送信し及び／又は受信するワイヤレストランシーバであって、複数の選択可能な動作パラメータを有するワイヤレストランシーバと、
前記ワイヤレス医療装置の現在の地理的位置を確かめ、前記現在の地理的位置に関連する対応する地理的領域を決定し、前記決定された地理的領域に基づいて前記複数の動作プロファイルのうち１つに従って前記ワイヤレストランシーバを制御する、ロケーション管理モジュールと、
を有するワイヤレス医療装置。
【請求項２】
複数の動作プロファイルを記憶するプロファイルメモリを更に有し、各動作プロファイルが、少なくとも１つの地理的領域に関連する、前記ワイヤレストランシーバの複数の動作パラメータを規定する、請求項１に記載のワイヤレス医療装置。
【請求項３】
前記動作パラメータは、周波数、デューティサイクル、帯域幅及び最大送信電力の少なくとも１つを含む、請求項１に記載のワイヤレス医療装置。
【請求項４】
前記ワイヤレス医療装置の前記現在の地理的位置を決定し、前記ロケーション管理モジュールに前記現在の地理的位置を送る全地球測位モジュールを更に有する、請求項１又は２に記載のワイヤレス医療装置。
【請求項５】
対応する地理的領域を前記ロケーション管理モジュールに入力するように動作されるユーザ入力部を更に有する、請求項１乃至４のいずれか１項に記載のワイヤレス医療装置。
【請求項６】
前記ロケーション管理モジュールは、近傍のワイヤレス医療装置に、前記決定された地理的領域及び／又は対応する動作プロファイルを送信するように、前記ワイヤレストランシーバを制御する、請求項１乃至５のいずれか１項に記載のワイヤレス医療装置。
【請求項７】
請求項１乃至６のいずれか１項に記載の複数のワイヤレス医療装置と、
前記複数のワイヤレス医療装置をインフラストラクチャネットワークとインタフェースするワイヤレスハブと、
を有するワイヤレス患者エリアネットワーク。
【請求項８】
前記ワイヤレスハブが、
前記モニタされた生理学的データを受信するとともに、アクチュエータを制御して治療を提供するためのアクチュエータ制御信号を送信するために、前記複数のワイヤレス医療装置と通信するワイヤレストランシーバと、
前記ワイヤレスハブの現在の地理的位置を確かめ、前記複数のワイヤレス医療装置の少なくとも１つに、前記現在の地理的位置及び前記現在の地理的位置に関する動作プロファイルの少なくとも一方を送信するように、前記ワイヤレストランシーバを制御するロケーション管理モジュールと、
を有する、請求項７に記載のワイヤレス患者エリアネットワーク。
【請求項９】
前記ワイヤレスハブが、前記ワイヤレス医療装置に関連する情報パケットを送受信するために前記インフラストラクチャネットワークと通信するインフラストラクチャトランシーバを更に有する、請求項８に記載のワイヤレス患者エリアネットワーク。
【請求項１０】
前記ワイヤレストランシーバ及び前記インフラストラクチャトランシーバが同一のトランシーバである、請求項９に記載のワイヤレス患者エリアネットワーク。
【請求項１１】
前記ワイヤレスハブが、前記ワイヤレスハブの前記現在の地理的位置を決定し、前記現在の地理的位置及び前記現在の地理的位置に関する動作プロファイルの少なくとも一方を、前記ロケーション管理モジュールに送る全地球測位モジュールを更に有する、請求項８乃至１０のいずれか１項に記載のワイヤレス患者エリアネットワーク。
【請求項１２】
前記ロケーション管理モジュールが、前記インフラストラクチャネットワークから前記現在の地理的位置を決定する、請求項９乃至１１のいずれか１項に記載のワイヤレス患者エリアネットワーク。
【請求項１３】
患者エリアネットワークの方法であって、
請求項１乃至６のいずれか１項に記載の複数のワイヤレス医療装置及び請求項７乃至１２のいずれか１項に記載のワイヤレスハブを有するワイヤレス患者エリアネットワークを形成するステップと、
前記ワイヤレスハブを通じて、前記複数のワイヤレス医療装置をインフラストラクチャネットワークとインタフェースするステップと、
を含む方法。
【請求項１４】
前記ワイヤレスハブの現在の地理的位置を確かめるステップと、
前記確かめられた地理的位置に従って、対応する地理的領域を決定するステップと、
前記決定された地理的領域に基づいて、前記複数の動作プロファイルのうち１つに従って動作するように前記ワイヤレス医療装置の前記ワイヤレストランシーバを制御するステップと、
を含む、請求項１３に記載の方法。
【請求項１５】
医療情報をワイヤレスで送信する方法であって、
患者の生理学的データをモニタすること又は患者に治療を提供することの少なくとも一方を行うステップと、
複数の選択可能な動作パラメータを有するワイヤレストランシーバを通じて、前記モニタされた生理学的データ及び前記提供された治療の少なくとも一方に関連する情報パケットを、ワイヤレスで送信し及び／又は受信するステップと、
ワイヤレス医療装置の現在の地理的位置を確かめるステップと、
前記現在の地理的位置に関連する対応する地理的領域を決定するステップと、
前記決定された地理的領域に基づいて、前記複数の動作プロファイルのうち１つに従って動作するように前記ワイヤレストランシーバを制御するステップと、
を含む方法。
【請求項１６】
前記複数の動作プロファイルを記憶するステップを更に含み、各動作プロファイルが、少なくとも１つの地理的領域に関連する、前記ワイヤレストランシーバの複数の動作パラメータを規定する、請求項１５に記載の方法。
【請求項１７】
前記ワイヤレス医療装置の前記現在の地理的位置を決定し、前記現在の地理的位置を送るステップ、又は、
対応する地理的領域を手動で決定し、前記ロケーション管理モジュールに前記対応する地理的領域を送信するステップ、
を更に含む、請求項１５又は１６に記載の方法。
【請求項１８】
前記動作パラメータは、周波数、デューティサイクル、帯域幅及び最大送信電力の少なくとも１つを含む、請求項１５乃至１７のいずれか１項に記載の方法。
【請求項１９】
前記決定された地理的領域及び／又は対応する動作プロファイルを近傍のワイヤレス医療装置に送信するように、前記ワイヤレストランシーバを制御するステップを更に含む、請求項１４又は１５に記載の方法。
【請求項２０】
請求項１３乃至１９のいずれか１項に記載の方法の各ステップを実施するようにプログラムされたプロセッサを有するワイヤレス医療装置。
【発明の詳細な説明】
【技術分野】
【０００１】
本願は、ワイヤレス装置に関する。特に、本発明は、患者の生理学的パラメータをモニタし、制御システムに、検知されたパラメータに関するデータを送信する、ボディエリアネットワーク（ＢＡＮ）又は患者エリアネットワーク（ＰＡＮ）のようなワイヤレスセンサネットワークに関する。
【背景技術】
【０００２】
患者は、従来、ワイヤによって基地局に接続される検知ユニットを使用してモニタされる。これらのワイヤは、患者の移動性を妨げ、据え付けが労働集約的であった。患者の移動性を改善し、据え付けを容易にし、ワイヤの混乱を排除するために、ワイヤレス検知ユニットが開発された。ある患者は、例えばＥＣＧ、ＳｐＯ２、血圧、血糖等の生理学的パラメータの連続的なモニタリングを必要とする。コミュニティを動き回るには十分ではあるが、患者は、生理学的パラメータの連続的なモニタリングを容易にするために病室、病棟、回復室又は彼らの家に制限されていた。これらの領域から出るためには、患者は、モニタされない状態になる。
【０００３】
患者の生理学的パラメータを彼らの活動を抑制することなく連続的にモニタするために、可能な限り軽量且つ小型であるとともに、互いに及び基地局とワイヤレス通信することが可能であるセンサを、患者の身体上に取り付けることが可能であることが望ましい。ボディエリアネットワーク（ＢＡＮ）は、一般に装着可能であり又は人間身体に埋め込み可能であるセンサである複数のノードを含む。ノードは、バイタル身体パラメータ及び／又は動きをモニタし、ワイヤレス媒体を通じて互いに通信する。ノードは、身体からの生理学的データを制御ユニットへ送信することができ、生理学的データは、制御ユニットから、ローカルエリアネットワーク（ＬＡＮ）、広域ネットワーク（ＷＡＮ）、セルラネットワーク等を通じて、病院、クリニック、その他の場所へリアルタイムに伝送されることができる。
【発明の概要】
【発明が解決しようとする課題】
【０００４】
ワイヤレス技術は、これらの装置の間の、便利で且つ控え目な接続を提供する。エネルギー効率的であり、信頼性が高く、低コストで、高レートのワイヤレス技術の進歩によって、さまざまなワイヤレスコンシューマ電子装置が、我々の日々の生活の不可欠な一部になっている。これらの装置の多くについての可搬性の性質のため、装置が動作することが認可されている領域を越えるそれらの広がりの見込みが、大幅に増加している。特に、さまざまな生理学的パラメータをモニタし制御するために、人間の身体内、身体上及び身体周辺で動作するように設計されるワイヤレス医療センサ装置が、人間によって広域的に携帯されることが予期される。平均的な人間は、ワイヤレス装置の使用を支配する複雑な規制を認識する見込みがない。これは、ポータブルワイヤレス装置が、ローカル規制に従うようにそれら自体を再構成するための手段を有しなければならないことを意味する。
【０００５】
ワイヤレスＢＡＮを設計するための要求は、エネルギー効率的で、信頼性が高く、低コストで、高レートのワイヤレス接続を維持し、ラジオスペクトルの使用に関する地政学的な規制要求を厳守しながら、ノード間の便利で控え目な接続を提供することを含む。規制要求は、例えば周波数帯域の使用、デューティサイクルの制限、帯域幅、最大送信電力制限、特定の吸収レート等の技術的要求の準拠を命じる。しかしながら、これらの規制要求は、世界的に調和されていない。例えば、４３３．０５−４３４．７９ＭＨｚバンドは、米国ではなくヨーロッパにおいて、ライセンスフリーの産業科学医療用（ＩＳＭ）バンドとして指定されている。他方、９０２−９２８ＭＨｚバンドは、ヨーロッパではなく米国においてライセンスフリーのＩＳＭバンドとして指定されている。従って、１つの領域で動作することが認可されているワイヤレス装置が、別の領域で動作することが法的に認可されないことがある。装置によって使用されるスペクトルが世界的に利用可能な場合でさえ、送信電力、デューティサイクル及び他の制約が、それぞれの異なる領域において異なることがあり、それにより、境界をまたぐワイヤレス装置の自由な移動を妨げうる。
【０００６】
これらの装置の多くについての可搬性の性質と、日々の生活の中への期待される組み込みのため、ワイヤレスＢＡＮ装置が動作することを認可される領域を越えてそれらが広域的に携帯される可能性は、平均的な患者が当該領域でのワイヤレス装置の使用を支配するローカル規制を認識する見込みがないことを理解しながら、計画されるべきである。これは、患者に重要なリスクを課す。その理由は、ワイヤレス装置の非準拠、無認可の使用が、装置間のワイヤレス送信機能を損なわせることがあり、これは、検知及び／又は治療機能を妨害しうるからである。ワイヤレス送信のローカル規制要求を満たすようにワイヤレス送信パラメータを調整するためのワイヤレスＢＡＮ及びワイヤレスポータブル装置の必要が存在する。
【０００７】
本願は、上述の問題及びその他を克服する、ロケーションベースのワイヤレス患者モニタリング及び治療提供のための新しく改善された方法及びシステムを提供する。
【課題を解決するための手段】
【０００８】
１つの見地によれば、ワイヤレス医療器具が提示される。ワイヤレス医療装置は、患者の生理学的データをモニタするセンサ及び患者に治療を提供するアクチュエータの少なくとも一方を含む。複数の選択可能な動作パラメータを有するワイヤレストランシーバは、モニタされた生理学的データ及び提供された治療の少なくとも一方に関する情報パケットを送信及び／又は受信する。ロケーション管理モジュールは、ワイヤレス医療装置の現在の地理的位置を確かめ、現在の地理的位置に関連する対応する地理的領域を決定する。ロケーション管理モジュールは、決定された地理的領域に基づいて、複数の動作プロファイルのうち１つに従って動作するようにワイヤレストランシーバを制御する。
【０００９】
別の見地により、医療情報をワイヤレスで送信する方法が提示される。方法は、患者の生理学的データをモニタすること及び患者に治療を提供することの少なくとも一方を含む。モニタされた生理学的データ及び提供された治療の少なくとも一方に関連する情報パケットは、ワイヤレストランシーバを通じてワイヤレスで送信され及び／又は受信される。ワイヤレス医療装置の現在の地理的位置が確かめられ、現在の地理的位置に関連する対応する地理的領域が決定される。ワイヤレストランシーバは、決定された地理的領域に基づいて、複数の動作プロファイルのうち１つに従って動作するように制御される。
【００１０】
１つの利点は、ワイヤレス医療装置が、地理的位置に関係なく、ワイヤレス送信に関するローカル規制要求への準拠を維持することである。
【００１１】
本発明の更に別の利点は、以下の詳細な説明を読み理解することによって当業者により理解されるであろう。
【００１２】
本発明は、さまざまな構成要素及び構成要素の取り合わせ並びにさまざまなステップ及びステップの取り合わせの形をとりうる。図面は、単に好適な実施形態を例示するためにあり、本発明を制限するものとして解釈されるべきでない。
【図面の簡単な説明】
【００１３】
【図１】医療ワイヤレスネットワークの概略図。
【図２】図１のワイヤレス医療装置の１つの詳細図。
【図３】図１のハブ医療装置の概略図。
【図４】動作方法を示すフローチャート。
【発明を実施するための形態】
【００１４】
図１を参照して、複数のワイヤレス医療装置は、パーソナルエリアネットワーク（ＰＡＮ）又はボディエリアネットワーク（ＢＡＮ）１３を形成するハブ医療装置１０及び複数の他のワイヤレス医療装置１２を有し、かかる装置は、身体の近くに配置され、さまざまな生理学的パラメータのモニタ及び記録、治療の提供等を行う。ワイヤレス医療装置１２は、ハブ医療装置１０とワイヤレスで通信する。さまざまなワイヤレス医療装置１２が企図され、例えば、関連する電子モジュール１６に接続される内耳センサ１４でありうる。内耳センサ１４は、温度、血圧、脈拍数等を測定するために患者の耳内に少なくとも部分的に配置される。別の例として、ワイヤレス医療装置１２は、検知された信号を測定し解釈する電子モジュール２０に接続される複数のＥＣＧセンサ又は電極１８を有するＥＣＧモニタを含みうる。別の例として、ＳｐＯ２センサ２２は、血液酸素及び脈拍数を検知し、血液酸素及び脈拍数は、関連する電子モジュール２４によって通信される。別の例として、注入ポンプ又は他のアクチュエータ２６が、関連する電気モジュール２８からの電気信号の制御下において、患者身体に薬剤を注入し、他のやり方で投与する。生理学的パラメータを検知し又は治療を提供する他のワイヤレス医療装置１２は、ペースメーカ、補聴器、視力支援具、義手義足、人工器官等を含む。
【００１５】
ワイヤレスハブ１０は、ワイヤレス医療装置１２から受信した信号を、インフラストラクチャネットワーク３０を通じて、例えばコンピュータワークステーション、セルラ電話、パーソナルデジタルアシスタント、タブレットコンピュータのような他のワイヤレス医療装置２９に伝送する。ハブ装置は、ワイヤレス医療装置１２の専用のハブであり、又は例えばセルラ電話、パーソナルデジタルアシスタント、タブレットコンピュータ等の多機能装置でありうることが理解されるべきである。ハブとワイヤレスネットワーク３０との間の通信は、ＩＥＥＥ８０２．１１標準に基づくワイヤレスローカルエリアネットワーク（ＬＡＮ）を通じて、セルラネットワークのようなワイヤレス広域ネットワーク（ＷＡＮ）を通じて、キャンパスエリアネットワーク（ＣＡＮ）を通じて、メトロポリタンエリアネットワーク（ＭＡＮ）を通じて、又は相対的に高いＲＦ送信を通じて、その他により行われうる。
【００１６】
ワイヤレス医療装置１２及びハブ１０は、さまざまなコンフィギュレーションにおいて、互いに対話することができる。例えば、スター型ネットワークでは、ワイヤレス医療装置１２の各々は、ハブ医療装置１０と直接通信する。ハブ装置は、装置１２からアクノリッジメント信号又はビーコン信号を受信して、ハブ１０から情報パケット、制御信号等を送受信することを予期して装置１２を同期させる。メッシュネットワークでは、装置１２は、互いに及びハブ１０と直接通信する。装置１２のいくつかは、ハブ１０と直接通信することができ、又はそれらは、例えばコンピュータ、ＰＤＡ、移動電話等の他の装置を通じて、ハブ１０と通信することができる。これらの他の装置は、ハブ１０ではなくインフラストラクチャネットワーク３０を通じて又は直接に、他のワイヤレス医療装置２９と通信することもできる。
【００１７】
図２を参照して、各々のワイヤレス医療装置１２は、患者の生理学的データをモニタするセンサ１４、１８、２２又は患者に治療を提供するアクチュエータ２６、の少なくとも一方を含む。各センサ、アクチュエータ又はそれらの組み合わせに関連する電子モジュール２０、２４、２８は、送信器４２及び受信器４４をもつワイヤレストランシーバ４０を有する。ワイヤレストランシーバ４０は、モニタされた生理学的データ及び／又は提供された治療の少なくとも一方に関連する情報パケットを、近傍のワイヤレス医療装置１２及びワイヤレスハブ１０の少なくとも一方に送信し／そこから受信する。各ワイヤレストランシーバは、例えば周波数、デューティサイクル、帯域幅、最大送信電力等の選択可能な複数の動作パラメータを有する。
【００１８】
各々のワイヤレス医療装置１２は、ロケーション管理モジュール４６を含む。ロケーション管理モジュール４６は、ワイヤレス医療装置１２の現在の地理的位置を確かめ、現在の地理的位置に関連する地理的領域を決定する。ワイヤレス医療装置の、例えば北米、欧州、アジア、南米等の地理的領域を追跡することは、トランシーバ４０の動作が、当該領域に関するワイヤレス送信のローカル規定要求を遵守することを確実にする。各々の地理的領域は、少なくとも１つの動作プロファイルに関連する。各々の動作プロファイルは、地理的領域に関連するワイヤレストランシーバ４０の複数の動作パラメータを規定する。例えば、米国（ＵＳＡ）の場合、連邦通信委員会（ＦＣＣ）によって命じられるような送信器４２に関する送信周波数、デューティサイクル、帯域幅及び最大送信電力を規定する動作プロファイルが規定されている。単一の地理的領域に関する複数の動作プロファイルが企図されることが理解されるべきである。反対に、単一の動作プロファイルが、複数の地理的領域に関連しうる。
【００１９】
地理的領域が決定されると、ロケーション管理モジュール４６は、決定された地理的領域に基づいて、動作プロファイルの１つに従って動作するように、ワイヤレストランシーバ４０を制御する。一実施形態において、動作プロファイルは、ワイヤレス医療装置１２のプロファイルメモリ４８に記憶される。別の実施形態において、動作プロファイルは、遠隔的に記憶され、ワイヤレスでアクセスされ、又はトランシーバ４０によってワイヤレスで受信される。動作プロファイルは、ハブ装置１０のメモリユニットに記憶されてもよい。ハブ装置は、動作プロファイルを送信することができ、又はワイヤレス医療装置１２は、適当な動作プロファイルを要求することができる。代替として、ハブ装置１０及び／又はワイヤレス医療装置１２は、インフラストラクチャネットワーク３０を通じて、記憶された動作プロファイルにワイヤレスでアクセスすることができる。この構成において、動作プロファイルは、ＬＡＮ、ＷＡＮ、ＣＡＮ、ＭＡＮ等の一部であるコンピュータワークステーション又はサーバの一部であるコンピュータ可読媒体に記憶される。
【００２０】
通信モジュール５０は、センサ又はアクチュエータ制御モジュール５２を通じて、センサ１４、１８、２２によって検知された生理学的情報を受け取る。制御モジュール５２は更に、受け取られた情報パケットに従ってアクチュエータ２６の動作を制御するように、アクチュエータ２６と通信する。通信モジュールは、検知された情報及びアクノリッジメント等の他の送信情報をパッケージして、情報パケットを作成する。通信モジュールは、ロケーション管理モジュール４６によって示される動作プロファイルをもつパケットを送信するように、トランシーバ４０を制御する。ワイヤレス医療装置は、トランシーバ４０の一部として複数の送信器４２を含みうることが理解されるべきである。動作制約は、単一の送信器が広く互いに異なる周波数で動作することを制限しうる。例えば、単一の送信器は、提案される２．３６ＧＨｚのＭＢＡＮ周波数及びライセンスフリーの２．４ＧＨｚ周波数で動作することが可能である。しかしながら、第２の送信器は、ヨーロッパのライセンスフリーの４３３．０５−４３４．７９ＭＨｚ産業科学医療用（ＩＳＭ）バンドで動作することが要求されうる。
【００２１】
一実施形態において、各々のワイヤレス医療装置１２は、対応する地理的領域をロケーション管理モジュール４６に入力するように動作される、スイッチ、ボタン、タッチパッド、入力装置等のユーザ入力部５４を含む。スイッチとして、ユーザ入力部５４は、ユーザ選択可能な複数の位置を含み、位置の各々は、少なくとも１つの地理的領域に関連する。ボタンとして、ユーザは、対応する地理的領域を選択するために、ユーザ入力部５４の複数回のボタン押圧によって循環することができ、又は、ユーザは、各々が少なくとも１つの地理的領域に関連する複数のボタンのうち１つを選択することができる。ジョイスティック、キーパッド、キーボード、タッチスクリーン、タッチパッド等の他のユーザ入力部５４が更に企図されることが理解されるべきである。
【００２２】
別の実施形態において、各々のワイヤレス医療装置１２は、全地球測位衛星から受信されるタイミング信号の三辺測量を使用して、現在の地理的位置を決定する任意の全地球測位モジュール５６を含む。全地球測位モジュール５６は、ワイヤレス医療装置１２の現在の地理的位置を決定し、ロケーション管理モジュール４６に現在の地理的位置を送る。現在の地理的位置から、ロケーション管理モジュール４６は、ワイヤレス医療装置１２が現在存在している地理的領域を決定する。
【００２３】
図３を参照して、別の実施形態において、ワイヤレス医療装置は、ハブ装置１０から現在の地理的位置をワイヤレスで受信する。ハブ医療装置１０は、ボディネットワークの他のワイヤレス医療装置と通信する第１のトランシーバ４０'と、インフラストラクチャネットワーク３０と通信する第２のトランシーバ４０"と、を有する。ワイヤレスハブは、他のワイヤレス医療装置１２のように、生理学的データセンサ及び／又はアクチュエータと接続されることができ、又は、単に中央コントローラ又はコーディネータとして、ネットワーク３０へ／から生理学的情報及び／又は治療関連の情報を転送するように機能することができる。ワイヤレス医療装置１２と同様に、ハブ１０は、ハブ１０の現在の地理的位置を確かめ、現在の地理的位置に関連する地理的領域を決定するロケーション管理モジュール４６'を含む。ロケーション管理モジュール４６'は、決定された地理的領域に基づいて動作プロファイルの１つに従って動作するようにワイヤレストランシーバ４０'、４０"を制御する。ロケーション管理モジュール４６'は、ユーザ入力部５４'、全地球測位モジュール５６'及びインフラストラクチャネットワーク３０の少なくとも１つを通じて、現在の地理的位置を受け取る。ユーザ入力部５４'及び同様の全地球測位モジュール５６'は、ワイヤレス医療装置１２のものと同様に機能する。ユーザは、例えば（図示される）スイッチ、ボタン、キーボード、ジョイスティック、キーパッド、タッチスクリーン、タッチパッド又は他の適切な入力装置等の入力装置を使用して、地理的領域を選択することができる。
【００２４】
前述したように、ハブ１０は、ワイヤレス医療装置１２及びそれらのトランシーバ４０並びにハブ１０のトランシーバ４０'、４０"に関する動作プロファイルを記憶するプロファイルメモリ４８'を含む。規制要求の変更を反映する更新された動作プロファイルは、トランシーバ４０"を通じて、インフラストラクチャネットワーク３０からワイヤレスで取得することができる。これは、例えば米国で提案されているＭＢＡＮ帯域のような新しい周波数帯域が導入される場合にも有利である。他の変更は、周波数帯域レンジ、デューティサイクルの変更、送信電力の変更等を含む。
【００２５】
通信モジュール５０'、５０"は、それぞれ、ワイヤレス医療装置１２及びインフラストラクチャネットワーク３０に／から情報パケットを送信し、受信する。通信モジュール５０'は、ロケーション管理モジュール４６'によって示される動作プロファイルをもつパケットを送信するように、トランシーバ４０'を制御する。従って、通信モジュール５０"は、ロケーション管理モジュール４６'によって示される動作プロファイルをもつパケットを送信するように、トランシーバ４０"を制御する。ハブユニット１０が、センサ又はアクチュエータと接続される場合、ハブユニット１０は更に、センサ又はアクチュエータ制御モジュール５２'を含む。
【００２６】
図４を参照して、動作プロファイルを選択し、他のワイヤレス医療装置１２に知らせる方法が示される。一実施形態において、ハブ装置１０は、情報パケット又はビーコンパケットを使用して、地理的領域、現在の地理的位置又は動作プロファイルをアドバタイズする、例えばスター型ネットワークのマスタ装置として働く。ハブ１０は、ユーザ入力部５４'及び全地球測位モジュール５６'及びインフラストラクチャネットワーク３０の少なくとも１つを通じて、現在の地理的位置を決定する（Ｓ７０）。ロケーション管理モジュール４６'は、決定された現在の地理的位置に従って、ハブ１０及びワイヤレス医療装置１２が現在存在する地理的領域を決定する（Ｓ７２）。地理的領域の変化が検出される場合（Ｓ７４）、ロケーション管理モジュール４６'は、プロファイルメモリ４８'から又はインフラストラクチャネットワーク３０を通じて遠隔ロケーションから、地理的領域に関連する（複数の）動作プロファイルを取り出す（Ｓ７６）。ロケーション管理モジュール４６'は、ステップＳ７６において取り出された動作プロファイルに従って動作するように、通信モジュール５０'、５０"を制御する（Ｓ７８）。通信モジュール５０'は、ビーコンメッセージを送信してワイヤレス医療装置１２に動作プロファイルをアドバタイズするように、トランシーバ４０'を制御する（Ｓ８０）。別の実施形態において、動作プロファイルは、情報パケットの一部として、例えばパケット／フレーム送信に埋め込まれ、動作プロファイルは、ＭＡＣアドレスヘッダ又はＰＨＹ層に埋め込まれることができ、従ってアドバタイズされることができる。他の実施形態において、動作プロファイルではなく地理的領域又は現在の地理的位置が、ワイヤレス医療装置１２にアドバタイズされる。ワイヤレス医療装置１２が、アドバタイズされた動作プロファイル又は地理的領域を受信したのち、パーソナルエリアネットワークが生成され（Ｓ８２）、生理学的データのモニタリング及び治療の提供が続きうる（Ｓ８４）。
【００２７】
別の実施形態において、パーソナルエリアネットワークの装置１０、１２は、例えばメッシュネットワークのようなピアツーピア構成で動作する。１つの装置が、地理的領域の変化を検出し、動作プロファイルの変更を必要とする場合、当該変化を検出した装置１０、１２は、地理的領域及び必要とされる動作プロファイルの少なくとも一方をアドバタイズする。装置が、全地球測位モジュール５６、５６'を有する場合、それは、現在の地理的位置をアドバタイズすることもできる。アドバタイズされたモード切り替えコマンドを聞くと、近傍のワイヤレス装置１０、１２のロケーション管理モジュール４６、４６'は、それに応じてトランシーバ４０、４０'、４０"を制御する。
【００２８】
本発明は、好適な実施形態に関して記述された。当業者であれば、先行する詳細な説明を読み理解することにより、変形及び変更が思い付くであろう。本発明は、そのようなすべての変形及び変更が添付の請求項又はそれと等価なものの範囲内にある限り、それらをすべて含むものとして理解されうることが意図される。
【図１】
2013544585.tif 000003
【図２】
2013544585.tif 000004
【図３】
2013544585.tif 000005
【図４】
2013544585.tif 000006
【国際調査報告】
2013544585.tif 000007
2013544585.tif 000008
2013544585.tif 000009